(57)【要約】【課題】炭酸水に含まれる炭酸ガスの圧力を利用して炭酸水シャワーによる洗浄が容易にできる炭酸水シャワー装置を提供する。【解決手段】本発明の一態様の炭酸水シャワー装置１０は、炭酸水２１を貯留する蓋体付き容器１１と、被洗浄領域を洗浄する洗浄ヘッド１８と、これらを繋ぐ所定長さのチューブ１６とを備え、チューブ１６は、一端部１６ｂが洗浄ヘッド１６に結合され、他端部１６ａが蓋体１３を貫通して容器１２の底部１２ａへ届く箇所まで挿入され、蓋体１３によって容器１１を閉蓋し、チューブ１６を介して容器１１内の炭酸水２１が炭酸ガスの圧力によって洗浄ヘッド１８から噴射されるようになされている。【選択図】図１
2018198817.tif 000002
【特許請求の範囲】
【請求項１】
炭酸水を貯留する蓋体付き容器と、被洗浄領域を洗浄する洗浄ヘッドと、これらを繋ぐ所定長さのチューブとを備え、
前記チューブは、一端部が前記洗浄ヘッドに結合され、他端部が前記蓋体を貫通して前記容器の底部へ届く長さに延在されており、
前記蓋体によって前記容器を閉蓋し、前記チューブを介して前記容器内の炭酸水が炭酸ガスの圧力によって前記洗浄ヘッドから噴射される構成となされていることを特徴とする炭酸水シャワー装置。
【請求項２】
前記蓋体は、加圧装置が装着されていることを特徴とする請求項１に記載の炭酸水シャワー装置。
【請求項３】
前記チューブは、途中に弁体が装着されていること特徴とする請求項１に記載の炭酸水シャワー装置。
【請求項４】
前記洗浄ヘッドは、所定の肉厚・形状の部材からなり、その中央に前記チューブの一端部が結合されて炭酸水を噴射させる噴射口が設けられ、最外周に前記噴射口から噴射される炭酸水の飛散を抑制し、炭酸水を一時滞留するための囲い枠体が形成されていることを特徴とする請求項１に記載の炭酸水シャワー装置。
【請求項５】
前記洗浄ヘッドは、前記噴射口の周囲に複数本の櫛歯が植設されていることを特徴とする請求項４に記載の炭酸水シャワー装置。
【発明の詳細な説明】
【技術分野】
【０００１】
本発明は、炭酸水シャワー装置に係り、さらに詳しくは、炭酸水シャワーにより頭髪などを洗浄するのに好適な炭酸水シャワー装置に関する。
【背景技術】
【０００２】
近年、炭酸水シャワーや炭酸水ヘッドスパが、特に若い年代層間で人気を得ている。炭酸水シャワーで例えば頭髪を洗浄すると、頭皮の余分な皮脂や汚れをシャンプーなしで取り除くことができ、シュワっとした炭酸の気泡が頭皮を引き締めてくれる、いわゆるヘッドスパ効果があり、その結果、いやな匂いが消え、また二酸化炭素の作用により頭皮の血行が促進されるなど効能があると言われている。このような炭酸水シャワーは、上記効能により、これまで洗浄用の炭酸水、炭酸水にシャンプーを混入した炭酸水シャンプー、或いは炭酸水を生成して洗浄するシャワー装置等が多く開発されて、特許文献でも紹介さている。
【０００３】
例えば、下記特許文献１には、炭酸温水による美容方法および装置が記載されている。この美容方法は、頭皮及び毛髪の洗浄方法において、頭部に液体を収容できる構造のキャップ容器を付け、このキャップ容器は空気排出管路の開口部を上部に配置し、液体の給排水管路開口部を前記キャップ容器のいずれかの位置に配置したものであって、キャップ容器に溶存炭酸ガス濃度が５００ｐｐｍ以上で湯温が３０℃以上の炭酸温水を収容し、少なくとも３分以上炭酸温水を頭皮に接触させて行う方法となっている。
【０００４】
また、下記特許文献２には、シャワー機器が記載されており、このシャワー機器は、シャワー胴部、洗髪ブラシ部又は両者の間の少なくとも１個所に、炭酸ガスマイクロバブル発生部を設けたものである。
【０００５】
さらに、特許文献３には、浄水機能付き洗髪ブラシが記載されおり、この洗髪ブラシは、浄水を噴出するシャワーキャップ部と、このシャワーキャップ部とシャワーホースとに連結される洗髪ブラシ本体部と、このシャワーキャップ部内部および洗髪ブラシ本体部内部の一部に収納され、内部に浄化材を収めたカートリッジとで構成されたものである
【先行技術文献】
【特許文献】
【０００６】
【特許文献１】特開２００９−１８１３６号公報
【特許文献２】特開２０１６−１６３７８５号公報
【特許文献３】特開平１１−２３９７４０号公報
【発明の概要】
【発明が解決しようとする課題】
【０００７】
しかしながら、上記特許文献１の炭酸温水による頭皮及び毛髪の洗浄方法および装置は、頭部に被せる特殊なキャップ容器及び所定温度の炭酸温水などが必要となり、そのために装置が大掛かりなものとなる一方で、また頭部の洗浄も簡単ではない。また、上記特許文献２のシャワー機器は炭酸ガスマイクロバルブ発生部及び上記特許文献３の洗髪ブラシは洗浄材を収めたカートリッジなどを必要とし、シャワー機器乃至洗浄ブラシの設計・製作が面倒なものになっている。
【０００８】
本発明者らは、炭酸水シャンプーが上記の効能がある一方で、これまでの装置及び洗髪ブラシなどはそれぞれ上記課題を抱えていることから、構成が簡単で、扱いが容易で、しかも安価な炭酸水シャワー装置にできないかを誠意検討してきた。そして、炭酸水は、一般の飲料（炭酸水入りボトル）としても販売されており、簡単に入手でき、しかもこの炭酸水ボトルは蓋を外すと炭酸水が吹き出すことがあることから、この炭酸水に含まれている炭酸ガスの圧力をそのまま利用すれば、大掛かりな器材の開発などが不要になり、簡単にしかも安価に炭酸水シャワー装置を作製できることに想到して、本発明を完成させたものである。
【０００９】
すなわち、本発明の目的は、炭酸水に含まれる炭酸ガスの圧力を利用して炭酸水シャワーによる洗浄が容易にできる炭酸水シャワー装置を提供することにある。また、本発明の他の目的は、炭酸水シャワーにより頭髪を洗浄すると共に、頭皮をマッサージできる取扱いが容易で、しかも構成が簡単で安価な炭酸水シャワー装置を提供することにある。
【課題を解決するための手段】
【００１０】
本発明の第１の態様の炭酸水シャワー装置は、
炭酸水を貯留する蓋体付き容器と、被洗浄領域を洗浄する洗浄ヘッドと、これらを繋ぐ所定長さのチューブとを備え、
前記チューブは、一端部が前記洗浄ヘッドに結合され、他端部が前記蓋体を貫通して前記容器の底部へ届く長さに延在されており、
前記蓋体によって前記容器を閉蓋し、前記チューブを介して前記容器内の炭酸水が炭酸ガスの圧力によって前記洗浄ヘッドから噴射される構成となされていることを特徴とする。
【００１１】
第２の態様の炭酸水シャワー装置は、第１の態様の炭酸水シャワー装置において、前記蓋体は、加圧装置が装着されていることを特徴とする。
【００１２】
第３の態様の炭酸水シャワー装置は、第１又は第２の態様の炭酸水シャワー装置において、前記チューブは、途中に弁体が装着されていること特徴とする。
【００１３】
第４の態様の炭酸水シャワー装置は、第１〜第３のいずれかの態様の炭酸水シャワー装置において、前記洗浄ヘッドは、所定の肉厚・形状の部材からなり、その中央に前記チューブの一端部が結合されて炭酸水を噴射させる噴射口が設けられ、最外周に前記噴射口から噴射される炭酸水の飛散を抑制し、炭酸水を一時滞留するための囲い枠体が形成されていることを特徴とする。
【００１４】
第５の態様の炭酸水シャワー装置は、第４の態様の炭酸水シャワー装置において、前記洗浄ヘッドは、前記噴射口の周囲に複数本の櫛歯が植設されていることを特徴とする。
【発明の効果】
【００１５】
本発明の第１の態様の炭酸水シャワー装置は、蓋体付き容器、洗浄ヘッド及びチューブから構成されるので、部品点数が極めて少なく、これらの部品数により容易且つ簡単に製作できる。また、以下の作用効果を奏する。
ア  それぞれの物品は、いずれも一般の市販品となっているので、それらの入手が簡単であり、また新規に開発するパーツ数を最小限にできる。すなわち、これらの部品のうち、容器の蓋体にチューブを貫通させる貫通孔を形成するだけの簡単な加工で装置を作製できる。
イ  容器内に所定量の水を貯留して置き、その中に炭酸タブレット（錠剤）を投入することによって、炭酸水を簡単に生成できる。勿論、市販の炭酸水ボトルをそのまま使用できる。
ウ  炭酸水に含まれる炭酸ガスの圧力を利用して、炭酸水をシャワー状に噴射できるので、噴射のための動力が不要となる。
エ  洗浄ヘッドを他のものに変更することによって、多様な洗浄対象乃至領域を炭酸水シャワーで洗浄できる。例えば、洗髪ブラシにより頭皮をマッサージしながら炭酸水洗浄ができる。
オ  この装置は、浴室などに据え付け或いは据え置きタイプとすることができるだけでなく、簡単に移動ができ、手軽に簡単に使用することが可能になる。
【００１６】
第２の態様の炭酸水シャワー装置によれば、加圧装置が装着されているので、容器内の圧力が低下したとき、加圧することによって、容器内の炭酸水を容器外へ放出できる。
【００１７】
第３の態様の炭酸水シャワー装置によれば、チューブの途中に弁体が装着されているので、炭酸水シャワーのオン／オフを容易に行うことができる。
【００１８】
第４の態様の炭酸水シャワー装置によれば、囲い枠体により、洗浄ヘッドから噴射された炭酸水の飛散を抑制できて無駄がなくなり、この囲い枠体内で被洗浄領域を炭酸水によって、効率よく有効に洗浄などができる。
【００１９】
第５の態様の炭酸水シャワー装置によれば、櫛歯により、頭皮をマッサージしながら炭酸水洗浄ができる。
【図面の簡単な説明】
【００２０】
【図１】本発明の実施形態１に係る炭酸水シャワー装置の斜視図である。
【図２】本発明の実施形態２に係る炭酸水シャワー装置の斜視図である。
【図３】図２の炭酸水シャワー装置の洗髪ブラシの斜視図である。
【発明を実施するための形態】
【００２１】
以下、図面を参照して、本発明の実施形態に係る炭酸水シャワー装置を説明する。但し、以下に示す実施形態は、本発明の技術思想を具体化するための炭酸水シャワー装置を例示するものであって、本発明をこれに特定することを意図するものではなく、特許請求の範囲に含まれるその他の実施形態のものにも等しく適応し得るものである。
【００２２】
［実施形態１］
図１を参照して、本発明の実施形態１に係る炭酸水シャワー装置を説明する。なお、図１は本発明の実施形態１に係る炭酸水シャワー装置の斜視図である。
【００２３】
本発明の実施形態１に係る炭酸水シャワー装置１０は、所定量の炭酸水を貯留ができる大きさの蓋体付き容器１１と、被洗浄領域へ炭酸水を噴射する洗髪ブラシ１８と、これらを繋ぐ所定長さのチューブ(tube)１６を備え、チューブ１６は、一端部１６ｂが洗髪ブラシ１８の噴射穴に結合され、他端部１６ａが蓋体１３を貫通して本体容器１２の底部まで挿入され、このチューブ１６を介して、容器１１内の炭酸水２１が炭酸ガスの圧力によって洗髪ブラシ１８から噴射される構成となっている。
【００２４】
この炭酸水シャワー装置は、上記の構成により、以下の作用・効果を奏する。
ア  炭酸水シャワー装置は蓋体付き容器、洗髪ブラシ及びチューブから構成されるので、部品点数が極めて少なく、これらの部品により容易且つ簡単に製作できる。
イ  それぞれの物品は、いずれも一般の市販品となっているもので、それらは安価で簡単に入手ができ、また新規に開発するパーツ数は最小限にできる。
ウ  すなわち、これらの部品のうち、容器の蓋体にチューブを貫通させる貫通孔を形成するだけの簡単な加工で装置を作製できる。
エ  容器内に所定量の水を貯留して置き、その中に炭酸タブレットを投入することによって、炭酸水を簡単に生成できる。勿論、市販の炭酸水ボトルをそのままで使用できる。
オ  炭酸水に含まれる炭酸ガスの圧力を利用して、炭酸水をシャワー状に噴射できるので、噴射のための動力は不要となる。
カ  洗髪ブラシにより頭皮をマッサージしながら炭酸水洗浄ができる。なお、洗髪ブラシを他のものに変更することによって、多様な洗浄対象乃至領域を炭酸水シャワーで洗浄できる。
キ  この装置は、浴室などに据え付け或いは据え置きタイプとすることができるだけでなく、簡単に移動ができ、手軽に簡単に使用することが可能になる。
【００２５】
この炭酸水シャワー装置は、上記の構成を備えることにより顕著な作用効果を奏するが、これらを含めその他の特徴などを明らかにするために、以下に、個々の構成を詳述する。
【００２６】
実施形態１に係る炭酸水シャワー装置１０は、炭酸水２１を貯留する蓋体付き容器１１と、人体の頭部などの被洗浄領域へ炭酸水２１を噴射する洗髪ブラシ１８と、これらを繋ぐ所定長さのチューブ１６を備え、チューブ１６は、一端部１６ｂが洗髪ブラシ１８の噴射穴１９１に結合され、他端部１６ａが蓋体１３を貫通して本体容器１２の底部１２ａに到達するまで挿入され、このチューブ１６を介して、蓋体付き容器１１内の炭酸水２１が炭酸ガスの圧力によって洗髪ブラシ１８から噴射される構造となっている。
【００２７】
蓋体付き容器１１は、内部に所定大きさの空間部１２０を有する本体容器１２と、この本体容器の開口部を塞いで密閉する蓋体１３とからなる。本体容器１２は、所定の大きさ（面積）及び形状の底部１２ａと、この底部の外周囲から上方へ立設した側周筒部１２ｂと、この側周筒部の上方を縮径した所定長さの筒状首部１２ｃと有し、内部に所定大きさの空間部１２０が形成された容器であって、筒状首部１２ｃは、上方に開口部及び外周壁に雄ネジが刻設され、合成樹脂材乃至金属材で形成されている。なお、この雄ネジの部分は蓋体１３で隠れている。
【００２８】
蓋体１３は、本体容器１２の開口部を塞ぐ大きさの蓋部１３ａと、この蓋部の周囲から垂下し筒状首部１２ｃの雄ネジに螺合する雌ネジが刻設された筒状胴部１３ｂと、を備えている。この蓋体１３には、蓋部１３ａ及び筒状胴部１３ｂを加工して、これらの箇所にチューブ１６内を流れる流体をオン／オフする弁体１７及びガス抜き安全弁１４が組み込まれている。
【００２９】
弁体１７は、チューブ１６を挿通する貫通孔を有し、この貫通孔に挿通されたチューブ１６を外側から押して、チューブ内を流れる流体の流れを止め、いわゆるオフし、一方で、押し潰しを解いて流れを再開（オン）させることができるものとなっている。このような弁体１７は、例えば人為操作によって点滴液をオン／オフするローラークランプとして知られているものを用いることができる。このローラークランプはローラーを操作することによって、流体の流れをオン／オフしたり、流量を変えることができるものである。本実施形態では、弁体１７としてローラークランプを使用した例を示したが、このローラークランプは既に周知であるので詳細な説明は省略する。
【００３０】
蓋体１３に弁体１７を組み込み、チューブ１６を蓋体１３の開孔１３１に挿通して蓋体１３を貫通させると、チューブ１６は弁体１７によって液漏れ防止手段が施されている状態となる。また、ガス抜き安全弁１４は、本体容器１２内の内圧が異常に上昇したときに開弁し、圧力が低下すると閉弁するものであり、これも既に周知のものである。なお、弁体１７及び安全弁１４は、上記のものに限定するものでなく、他の公知のものを使用してもよい。
【００３１】
洗髪ブラシ１８は、略円形で所定の肉厚さの円盤状体１９からなり、その略中央部にチューブの一端部１６ｂが結合され、炭酸水が拡散して噴射される噴射口１９１と、この噴射口の周囲に複数本の櫛歯１９２とを有し、柔らかい合成樹脂材（エラストマー樹脂）の成型体で形成されている。円盤状体１９は、表面１９ａと裏面１９ｂを有し、表面側にはチューブ１６の一端部１６ｂが結合されて噴射口１９１に通じる結合部（図示省略）が形成され、裏面側に複数本の櫛歯１９が配設されている。櫛歯は、円錐状形をなし、柔軟性を有する樹脂（エラストマー樹脂）成型体で形成されている。
【００３２】
チューブ１６は、所定の長さ、例えば容器を床或いは棚上に置いたときに、洗髪ブラシ１８を頭部上に位置させることができる長さで、且つ内部に所定大きさ流通路（流体が流れる空洞）を有する管状体からなり、柔軟性のある合成樹脂材で形成されている。このようなチューブ１６は、例えばシリコン製チューブやタイゴン（登録商標名）チューブとして市販のものを適宜に選択して使用し得る。
【００３３】
以下、図１を参照して、炭酸水シャワー装置１０の組立て及び使用方法を説明する。
その組立ては、まず、チューブ１６の一端部１６ｂを洗浄ブラシ１８の噴射口１９１に結合する。この結合は、チューブ１６の一端部１６ｂを円板状体１９の裏面側に位置する噴射口１９１に通じる結合部の外周に嵌合させることにより結合することができる。
【００３４】
次に、チューブ１６の他端部１６ａが本体容器１２の底部１２ａに達する位置まで延在するように、蓋体１３に形成されている貫通孔１３１に挿通し、蓋体１３を本体容器１２の筒状首部１２ｃに螺合して、組立てを完了する。なお、蓋体１３の貫通孔１３１とチューブ１６との間が気密になるようにするため、蓋体１３の貫通孔１３１の開口径とチューブ１６の外径を考慮して両者間が気密に嵌合されるようにするか、あるいは両者間を接着剤で気密に固定することが好ましい。
【００３５】
実施形態１に係る炭酸水シャワー装置１０の使用方法は、まず、本体容器１２に所定量の水を注入する。その後、注入した水内へ炭酸タブレットを投入する。この炭酸タブレットの投入により、炭酸水２１が生成される。この状態にして、容器本体１２の開口部を蓋体１３で閉蓋する。その後、弁体１７を操作して、頭髪へ炭酸水を噴射し、頭皮をブラシで擦りながら炭酸水によるシャワー洗浄を行う。
【００３６】
この炭酸水シャワー装置１０によれば、上記ア〜キの作用・効果を奏することができる。すなわち、炭酸水シャワー装置１０は蓋体付き容器１１、洗髪ブラシ１８及びチューブ１６から構成されているので、部品点数が極めて少なく、容易に且つ簡単に製作できる。それぞれの物品は、いずれも一般の市販品となっているもので、それらは安価で簡単に入手ができ、また新規に開発するパーツ数は最小限にできる。すなわち、これらの部品のうち、容器の蓋体１３にチューブ１６を貫通させる貫通孔１３１を形成するだけの簡単な加工で装置を作製できる。
【００３７】
また、この炭酸水シャワー装置１０によれば、蓋体付き容器１１内に所定量の水を貯留して置き、その中に炭酸タブレットを投入することによって、炭酸水２１を簡単に生成できる。勿論、市販の炭酸水ボトルをそのままで使用できる。しかも、炭酸水２１に含まれる炭酸ガスの圧力を利用して、炭酸水２１をシャワー状に噴射できるので、炭酸水噴射のための動力は不要となる。しかも、洗髪ブラシ１８により頭皮をマッサージしながら炭酸水による洗浄を行うことができる。この炭酸水シャワー装置１０は、浴室などに据え付け或いは据え置きタイプとすることができるだけでなく、簡単に移動ができ、手軽に簡単に使用することが可能になる。
【００３８】
[実施形態２]
図２、図３を参照して、本発明の実施形態２に係る炭酸水シャワー装置１０Ａを説明する。なお、図２は本発明の実施形態２に係る炭酸水シャワー装置１０Ａの斜視図、図３は図２の炭酸水シャワー装置の洗髪ブラシの斜視図である。
【００３９】
本発明の実施形態２に係る炭酸水シャワー装置１０Ａは、実施形態１に係る炭酸水シャワー装置１０と蓋体１３及び洗髪ブラシ１８の一部構成が異なるのみで、他の構成は同じになっている。そこで、以下の説明では、共通のする構成には同じ符号を付して、実施形態１に係る炭酸水シャワー装置１０説明を援用し、重複する部分の説明は省略し、異なる構成部分を詳述する。
【００４０】
実施形態２に係る炭酸水シャワー装置１０Ａも、炭酸水２１を貯留する蓋体付き容器１１Ａと、被洗浄領域へ炭酸水２１を噴射する洗髪ブラシ１８Ａと、これらを繋ぐ所定長さのチューブ１６を備えている。実施形態２に係る炭酸水シャワー装置１０Ａが実施形態１の炭酸水シャワー装置１０と相違する点は、蓋体１３Ａ及び洗髪ブラシ１８Ａの一部構成である。以下、これらの構成の違いを説明する。
【００４１】
まず、蓋体１３Ａは、実施形態１の蓋体１３にピストン付きの加圧装置１５を付設したものとなっている。このピストン付きの加圧装置１５は、ピストンを上下動することによって本体容器１２内の圧力を加圧することができる構成となっている。このピストン付きの加圧装置１５は既に周知のものであり、その詳細な説明は省略する。ピストン付きの加圧装置１５を付設したことにより、本体容器１２内の内圧が低下して炭酸水２１を噴射できなくなったときに、このピストン付きの加圧装置１５を作動させて内圧を高めることにより、再度本体容器１２内の炭酸水２１をチューブ１６を通して洗髪ブラシ１８Ａから噴射させることができるようになる。
【００４２】
また、洗髪ブラシ１８Ａは、実施形態１の洗髪ブラシ１８の外周囲に所定高さの囲い枠体２０を付設した構成となっている。囲い枠体２０の高さは、櫛歯１９１と同じか櫛歯１９１よりも若干高くなるようにする。この囲い枠体２０により、洗浄中に炭酸２１水が囲い枠体２０内に一時滞留され、外部への漏れが抑制されて無駄がなくなるので、頭部を効率よく洗浄できるようになる。
【００４３】
実施形態２の炭酸水シャワー装置１０Ａは、実施形態１の炭酸水シャワー装置１０の作用効果に加え、加圧装置１５を付設したことにより、本体容器１２内の内圧が低下して炭酸水が噴射されなくなったときに、この加圧装置１５を作動させて本体容器１２内の内圧を高め、本体容器１２内の炭酸水２１を再度チューブ１６を通して洗髪ブラシ１８Ａから噴射させることができる。また、洗髪ブラシ１８Ａに設けられた囲い枠体２０により、洗浄中に炭酸水２１が囲い枠体２０内に一時滞留され、外部への漏れが抑制されて無駄がなくなるので、頭部を効率よく洗浄できるようになる。
【００４４】
以上、本発明の実施形態１、２に係る炭酸水シャワー装置を説明したが、本発明はこれらに限定するものでなく、以下の点を変更してもよい。
（a）蓋体付き容器は、既に広く一般に販売されているボトル、例えばペットボトル、アルミ缶などを使用してもよい。これらの容器を使用すれば蓋体、すなわち、キャップ体に接続パイプを挿通する貫通孔を穿設し、この孔にチューブを挿通し、液漏れ防止処理して固定すればよく、極めて簡単に作製できる。また、ボトルは、自販機やコンビニなどで販売されている炭酸水ボトルを使用してもよい。その際、弁体１７をチューブ１６の蓋体１３と洗髪ブラシ１８，１８Ａの間に位置するように設けてもよい。
（ｂ）洗髪ブラシ１８Ａに代えて、櫛歯がない普通の洗浄ヘッドを使用してもよい。これにより、洗顔乃至ボデー洗浄が可能になる。
【符号の説明】
【００４５】
１０、１０Ａ      炭酸水シャワー装置
１１              蓋体付き容器
１２              本体容器
１２ａ            底部
１３              蓋体
１３１              貫通孔
１４              ガス抜き安全弁
１５              加圧装置
１６              チューブ
１６ａ            （チューブの）他端部
１６ｂ            （チューブの）一端部
１７              弁体
１８、１８Ａ      洗髪ブラシ（洗浄ヘッド）
１９              円盤状体
１９１              噴射口
１９２              櫛歯
１９ａ            表面
１９ｂ            裏面
２０              囲い枠体
２１              炭酸水
【図１】
2018198817.tif 000003
【図２】
2018198817.tif 000004
【図３】
2018198817.tif 000005